(57)【要約】【課題】オーダ中の任意のコマ画像のところでプリント条件等の設定を中断しても、それまでの設定内容を保存可能とした画像処理装置を提供することにある。【解決手段】画像データに対しプリント条件を設定し、当該プリント条件に基づいて当該画像データを画像処理してプリント用画像データを作成する画像処理装置であって、プリント条件設定処理を中断する場合に、当該プリント条件設定処理の中断処理を実行し、当該中断処理に係る所定数のコマの画像データと、当該画像データに対するプリント条件データとを紐付けして、記憶手段に保存し、中断されたプリント条件設定処理を再開する場合に、中断処理に係る所定数のコマの画像データとそれに対するプリント条件データとを読み出し、表示手段に表示し、プリント条件の設定を再開するように構成したことを特徴とする。【選択図】図１
2009198561.tif 000002
【特許請求の範囲】
【請求項１】
画像データに対しプリント条件を設定し、当該プリント条件に基づいて当該画像データを画像処理してプリント用画像データを作成する画像処理装置であって、
前記画像データを所定数のコマ単位に表示手段に表示し、当該表示されたコマごとの画像データに対しプリント条件を設定するプリント条件設定手段と、
前記プリント条件設定手段によるプリント条件設定処理を中断する場合に、当該プリント条件設定処理の中断処理を実行し、当該中断処理に係る前記所定数のコマの画像データと、当該画像データに対するプリント条件データとを紐付けして、記憶手段に保存するプリント条件保存制御手段と、
前記中断されたプリント条件設定処理を再開する場合に、前記プリント条件保存制御手段によって記憶手段に保存された、前記中断処理に係る前記所定数のコマの画像データとそれに対するプリント条件データとを読み出し、前記表示手段に表示し、前記中断処理に係る前記所定数のコマの画像データに対するプリント条件の設定を行なえるように構成したプリント条件設定再開手段と、を有する画像処理装置。
【請求項２】
前記プリント条件設定手段またはプリント条件設定再開手段で設定されたプリント条件が確定した場合に、当該プリント条件に基づいて画像データを画像処理し、プリント用画像データを作成するプリント用画像データ作成手段と、
前記プリント用画像データ作成手段で作成されたプリント用画像データを用いて写真プリント処理実行するように制御する写真プリント処理制御手段と、をさらに有する請求項１に記載の画像処理装置。
【請求項３】
前記プリント条件設定手段またはプリント条件設定再開手段で設定されたプリント条件が確定した場合に、当該プリント条件に基づいて画像データを画像処理し、プリント用画像データを作成するプリント用画像データ作成手段と、
前記プリント用画像データ作成手段で作成されたプリント用画像データを、記憶手段に保存するように制御するプリント用画像データ保存制御手段と、をさらに有する請求項１に記載の画像処理装置。
【請求項４】
前記プリント条件設定手段またはプリント条件設定再開手段で設定されたプリント条件が確定した場合に、当該プリント条件に基づいて画像データを画像処理し、プリント用画像データを作成するプリント用画像データ作成手段と、
前記プリント用画像データ作成手段で作成されたプリント用画像データを、写真処理装置に送信し写真プリント処理を実行する第１処理モードと、
前記プリント用画像データ作成手段で作成されたプリント用画像データを、記憶手段に保存する第２処理モードと、
前記記憶手段に保存されているプリント用画像データを前記写真処理装置に送信し写真プリント処理を実行する第３処理モードと、
前記第１処理モード、第２処理モードまたは第３処理モードを選択するモード選択手段と、をさらに備える請求項１に記載の画像処理装置。
【発明の詳細な説明】
【技術分野】
【０００１】
本発明は画像データに対しプリント条件を設定し、当該プリント条件に基づいて当該画像データを画像処理してプリント用画像データを作成する画像処理装置に関する。
【背景技術】
【０００２】
従来、感光材を露光し現像処理することにより写真をプリントする写真処理システムにおいて、ある顧客のオーダ処理中に、先に処理した他の顧客の写真をプリントし直すための割り込み処理を可能とする構成が知られている（特許文献１）。この構成は、割り込み命令があった場合、現在処理中のオーダを、例えば処理中のフィルム１本分の処理が完了するまで続行した後、そのオーダの処理を中断し、中断されたオーダの処理が開始されてから中断されるまでの間における処理内容（例えば、プリント条件等）を記憶する。割り込み処理によりＮＧと判定された写真のプリントをやり直した後、中断されたオーダの処理を再開する。再開する場合に、中断前に処理済みのフィルムについては、記憶された処理内容を読み出し、印字出力する。そして、オーダ中の未処理のフィルムについて処理を行ない、印字出力する。すなわち、この構成は、任意のオーダの写真処理を実行している場合に、中断理由が生じたら、オーダ中のフィルム単位に処理を中断するようになっている。つまり、フィルムから読み取られた画像データ群のうち、任意のコマで中断することができない構成であり、重要な中断理由の場合に、すぐに中断させることができなかった。仮に強制的に中断させた場合、フィルム単位で処理内容（プリント条件等）を保存する構成であったため、すでに設定されたコマごとのプリント枚数、補正データ等が削除され、中断再開時、全てのコマ画像に対し、新たにプリント枚数の設定や補正データの設定等を行なうことが必要となっていた。
【０００３】
【特許文献１】特開２００４−１２９０５号公報
【発明の開示】
【発明が解決しようとする課題】
【０００４】
本発明は上記実情に鑑みてなされたものであり、その目的は、オーダ中の任意のコマ画像のところでプリント条件等の設定を中断しても、それまでの設定内容を保存可能とした画像処理装置を提供することにある。
【課題を解決するための手段】
【０００５】
上記課題を解決するため本発明に係る写真処理装置は、
画像データに対しプリント条件を設定し、当該プリント条件に基づいて当該画像データを画像処理してプリント用画像データを作成する画像処理装置であって、
前記画像データを所定数のコマ単位に表示手段に表示し、当該表示されたコマごとの画像データに対しプリント条件を設定するプリント条件設定手段と、
前記プリント条件設定手段によるプリント条件設定処理を中断する場合に、当該プリント条件設定処理の中断処理を実行し、当該中断処理に係る前記所定数のコマの画像データと、当該画像データに対するプリント条件データとを紐付けして、記憶手段に保存するプリント条件保存制御手段と、
前記中断されたプリント条件設定処理を再開する場合に、前記プリント条件保存制御手段によって記憶手段に保存された、前記中断処理に係る前記所定数のコマの画像データとそれに対するプリント条件データとを読み出し、前記表示手段に表示し、前記中断処理に係る前記所定数のコマの画像データに対するプリント条件の設定を行なえるように構成したプリント条件設定再開手段と、を有することを特徴とする。
【０００６】
この構成の作用効果は以下のとおりである。本発明の画像処理装置は、画像データに対しプリント条件を設定し、当該プリント条件に基づいて当該画像データを画像処理してプリント用画像データを作成する機能を有している。「プリント条件」は、写真プリントに関するプリント条件であり、例えば、プリントサイズ、プリント枚数、画像データに係る補正データ等であり、コマ画像ごとに設定される。
【０００７】
そして、プリント条件設定手段は、前記画像データを所定数のコマごとに表示手段に表示し、当該表示されたコマごとの画像データに対しプリント条件を設定する。これにより、オーダ中の画像データ群から、所定数（例として４，６，８等）のコマ画像を表示手段（例としてモニター）に表示させることができる。表示手段に表示された複数のコマ画像に対しプリント条件が設定される。プリント条件保存制御手段は、プリント条件設定手段によるプリント条件設定処理を中断する場合に、当該プリント条件設定処理の中断処理を実行し、当該中断処理に係る所定数のコマの画像データと、当該画像データに対するプリント条件データとを紐付けして、記憶手段に保存する。これにより、表示手段に表示されている複数のコマ画像のプリント条件設定中において、中断理由が生じた場合に、中断処理を実行しても、すでに設定されたプリント条件は、それに対応する画像データとともに記憶手段（例としてハードディスク）に記憶されるため、既に設定されたプリント条件をコマ画像単位に保存することができる。「中断理由」は、特に制限されず、装置トラブル、停電、割り込み処理等が例示される。中断処置の実行としては、キーボードの中断キーを押下することで中断処理が実行されてもよく、中断理由が生じた場合に、表示手段に中断理由を表示あるいは音で報知させて、強制的に中断処理が実行されてもよい。
【０００８】
そして、プリント条件設定再開手段は、中断されたプリント条件設定処理を再開する場合に、プリント条件保存制御手段によって記憶手段に保存された、中断処理に係る前記所定数のコマの画像データとそれに対するプリント条件データとを読み出し、前記表示手段に表示する。これにより、中断処理に係る前記所定数のコマの画像データに対するプリント条件の設定を再開することができる。中断処理時に表示手段に表示されていた複数のコマ画像がそのまま表示される。そして、中断処理時にすでに設定されたプリント条件も読み出され表示されあるいはコマ画像の表示に反映されている。再開処理の実行は、中断理由がなくなった場合に、自動的に中断されたオーダが再開されてもよく、オペレータによるキー入力や操作画面からの指示等で再開できる。
【０００９】
よって、オーダのプリント条件設定中に中断されても、コマ画像単位にすでに設定されたプリント条件を保存することができるとともに、再開時には、中断時の所定数のコマ画像とそのプリント条件を読み出し、処理の再開をスムーズに行なえる。また、プリント条件の設定画面は、所定数のコマ画像が表示される構成であり、中断時にすでに設定されたプリント条件が反映された画像を表示できるため、これら画像を確認しながら、未設定の画像のプリント条件を設定できるので、オーダ全体としての統一感をもって設定可能である。特に、大量の画像データ数のオーダの場合、プリント条件の設定時間が長くなり、それゆえ中断処理回数が多い。このような場合においても、本発明の構成であれば、オーダのプリント条件設定中に任意に中断しても、プリント条件が画像データとともに保存されるため、中断回数が多くても問題がない。また、大量の画像データ数のオーダについては、プリント条件の設定をオペレータの作業の空いた時間帯に少しずつ行なえ、写真プリント処理をまとめて行なえるため、作業効率が大幅に改善される。
【００１０】
また、本発明の実施形態として、前記プリント条件保存制御手段は、前記中断処理に係る前記所定数のコマの画像データの前にプリント条件設定手段で処理された、当該所定数単位のコマの画像データおよびそれに対応するプリント条件データを、さらに記憶手段に保存することを特徴とする。
【００１１】
この構成によれば、表示されている所定数のコマの画像データよりも以前に表示されプリント条件が設定されたコマの画像データにおいてもそのプリント条件とともに、記憶手段に保存することができる。よって、表示手段で表示されている例えば６コマ画像の前ページの６コマ画像を表示させ、かつ設定されたプリント条件が反映された画像となっているため、前のページのコマ画像との統一感を維持できる。特に、コマ画像の１つ目の設定途中で、中断処理された場合に、一つ前、あるいは１つ以上前のページのコマ画像を表示させて、一つのオーダとして一体感のあるプリント条件を設定することができるので好ましい。保存される画像データとプリント条件は、記憶手段の記憶容量の観点から、少なくとも１ページ前の所定数のコマの画像データおよびプリント条件データを保存することが好ましい。
【００１２】
また、本発明の一実施形態として、前記プリント条件設定手段またはプリント条件設定再開手段で設定されたプリント条件が確定した場合に、当該プリント条件に基づいて画像データを画像処理し、プリント用画像データを作成するプリント用画像データ作成手段と、
前記プリント用画像データ作成手段で作成されたプリント用画像データを用いて写真プリント処理実行するように制御する写真プリント処理制御手段と、をさらに有することを特徴とする。
【００１３】
この構成によれば、プリント用画像データ作成手段は、プリント条件設定手段またはプリント条件設定再開手段で設定されたプリント条件が確定した場合に、当該プリント条件に基づいて画像データを画像処理し、プリント用画像データを作成する。「プリント条件が確定した場合」は、表示手段に表示された所定数のコマ画像に対するプリント条件を設定後、写真処理装置で写真処理を実行させてもよいとオペレータが判断した場合に、例えば、「プリント」ボタン、あるいはキーを指示することを意味する。そして、写真プリント処理制御手段は、送信手段を介してプリント用画像データ作成手段で作成されたプリント用画像データを、写真処理装置に送信し、写真処理装置において、プリント用画像データを用いて写真プリント処理を実行するように制御する。これによって、オーダ中の表示手段に表示されている所定数のコマ画像単位に、プリント条件の設定を行い、このプリント条件が確定したら、所定数のコマ画像ごとに写真プリント処理を実行することができる。すなわち、プリント条件設定処理を中断する場合に、すでに写真プリント処理が実行されたコマ画像もあり、これらについては、プリント条件を保存する必要がない。しかしながら、写真プリントの統一感を出すために、中断時に表示されている所定数のコマの画像データよりも以前に表示されプリント条件が設定されたコマの画像データにおいてもそのプリント条件とともに、記憶手段に保存することが好ましい。
【００１４】
また、本発明の別の実施形態として、前記プリント条件設定手段またはプリント条件設定再開手段で設定されたプリント条件が確定した場合に、当該プリント条件に基づいて画像データを画像処理し、プリント用画像データを作成するプリント用画像データ作成手段と、
前記プリント用画像データ作成手段で作成されたプリント用画像データを、記憶手段に保存するように制御するプリント用画像データ保存制御手段と、をさらに有することを特徴とする。
【００１５】
この構成によれば、プリント用画像データ作成手段は、プリント条件設定手段またはプリント条件設定再開手段で設定されたプリント条件が確定した場合に、当該プリント条件に基づいて画像データを画像処理し、プリント用画像データを作成する。そして、プリント用画像データ保存制御手段は、プリント用画像データ作成手段で作成されたプリント用画像データを、記憶手段に保存するように制御する。これによって、オーダ中の表示手段に表示されている所定数のコマ画像ごとに、プリント条件の設定を行い、このプリント条件が確定したら、所定数のコマ画像ごとに写真プリント処理用のプリント用画像データを作成し、記憶手段に記憶させておくことができる。すなわち、本発明の構成であれば、大量の画像データ数のオーダについては、プリント条件の設定をオペレータの作業の空いた時間帯に少しずつ行なえ、写真プリント処理をまとめて行なえるため、作業効率が大幅に改善される。また、プリント条件および画像データをすべて保存する方法に比較し、プリント用画像データを保存する方法の場合、記憶手段の容量を小さく設定できる。
【００１６】
また、本発明の別の実施形態として、前記プリント条件設定手段またはプリント条件設定再開手段で設定されたプリント条件が確定した場合に、当該プリント条件に基づいて画像データを画像処理し、プリント用画像データを作成するプリント用画像データ作成手段と、
前記プリント用画像データ作成手段で作成されたプリント用画像データを、写真処理装置に送信し写真プリント処理を実行する第１処理モードと、
前記プリント用画像データ作成手段で作成されたプリント用画像データを、記憶手段に保存する第２処理モードと、
前記記憶手段に保存されているプリント用画像データを前記写真処理装置に送信し写真プリント処理を実行する第３処理モードと、
前記第１処理モード、第２処理モードまたは第３処理モードを選択するモード選択手段と、をさらに備えることを特徴とする。
【００１７】
この構成によれば、プリント用画像データ作成手段は、プリント条件設定手段またはプリント条件設定再開手段で設定されたプリント条件が確定した場合に、当該プリント条件に基づいて画像データを画像処理し、プリント用画像データを作成する。そして、プリント用画像データを、写真処理装置に送信し写真プリント処理を実行する第１処理モードと、プリント用画像データを、記憶手段に保存する第２処理モードと、記憶手段に保存されているプリント用画像データを写真処理装置に送信し写真プリント処理を実行する第３処理モードと、を備え、モード選択手段によって、第１処理モード、第２処理モードまたは第３処理モードのいずれかを選択できるように構成される。すなわち、本発明の画像処理装置は、上記第１、第２、第３処理モードを選択して実行できるため、写真店の状態、オペレータの操作状況に応じて、適宜処理モードを選択できる。第１処理モードの場合、プリント条件の設定処理に並行してその写真プリント処理を実行でき、第２処理モードの場合、プリント条件の設定処理を連続して行ってプリント用画像データを蓄積でき、第３処理モード場合、第２処理モードで蓄積されたプリント用画像データのオーダについて写真プリント処理を実行することができる。
【００１８】
本発明において、「オーダ」は、写真プリントを作成する場合の注文単位である。「１オーダ」は、フィルム１本分あるいは複数本分、記録メディア１個分あるいは複数個分、画像データフォルダ１個分あるいは複数個分についてのプリント注文に係る画像データ群を指すものであるが、これに限定されるものではなく、１オーダの概念はオペレータ、注文者により適宜設定することができる。以下、同様である。
【発明を実施するための最良の形態】
【００１９】
本発明に係る写真プリントシステムの実施形態の一例について図面を用いて説明する。図１は、写真プリントシステム全体の構成を示す概念図である。
【００２０】
＜システムの全体構成＞
本実施形態では、写真処理装置２が、ＬＡＮなどのネットワークを介して複数の端末と接続されている。また、本システムにおいては、ネットワークを介して、記録媒体読み取り装置、写真プリント注文におけるオンラインプリント注文サーバ、注文者ＰＣ等と接続されている。端末としては、オペレータ用の画像処理装置１、店舗内設置の注文者用の受付端末、ネット受付端末等が例示される。画像処理装置１、受付端末、ネット受付端末の設置台数は、それぞれ１台に限定されず、必要に応じて複数台を設置することができる。また、現像済みネガフィルムから画像データを読み取るためのスキャナー（不図示）は、画像処理装置１に直接に配置されていてもよく、または写真処理装置２に接続されあるいはＬＡＮ上に接続されていてもよい。
【００２１】
画像処理装置１は、パソコン等の情報処理装置で構成され、ネットワークを介して接続された写真処理装置２とデータ通信可能に構成され、写真処理装置２に対する動作命令、各種設定命令、写真プリント処理に係るプリント用画像データを含むオーダ情報を写真処理装置２側に送信する機能を有している。画像処理装置１の具体的構成については後述する。なお、画像処理装置１は、写真処理装置２と別体の構成であるが、画像処理装置１の機能を写真処理装置２に備えさせる構成もできる。
【００２２】
受付端末は、例えば店頭に設置され、デジタルカメラの記録メディアやその他の記録メディアに格納された画像データを受け付けることができる。受付端末は、主として顧客により操作されるものであり、顧客が持参した記録メディアを挿入して、写真プリントの作成対象となる画像データを選択したり、プリント枚数などを設定したりすることができる。また、写真プリント処理に関する画像データを含むオーダ情報を画像処理装置１側に送信する機能を有している。
【００２３】
ネット受付端末はパソコン等の情報処理装置により構成され、インターネットを経由したオンラインでのプリント注文を受け付ける機能を有する。かかるプリント注文の受け付けは、インターネット上に設置されたオンラインプリント注文サーバを介して行われる。即ち、プリント注文に係る画像データは、注文者ＰＣから上記サーバにアップロードされ、適当なタイミングでネット受付端末にダウンロードされてプリント処理に用いられる。また、写真プリント処理に関する画像データを含むオーダ情報を画像処理装置１側に送信する機能を有している。このようなオンラインでプリント注文を受け付けるシステムは公知であるので詳細な説明は省略する。記録媒体読み取り装置は、記録メディアから画像データを読み込む機能のほかに、画像処理装置１から送信されてきた画像データ、オーダ情報等のデータを記録メディアに書き込む機能も有している。
【００２４】
写真処理装置２は、画像処理装置１から送信されたプリント用画像データ（あるいはこのデータを含むオーダ情報）に基づいて、写真プリントを作成する機能を有している。プリント用画像データは、画像データをプリント条件に応じて画像処理されたデータである。プリント用画像データは、画像処理装置１の機能によって作成される。画像データは、スキャナーから取得される現像済みネガフィルムのコマ画像の画像データや、各端末で受け付けた画像データ、ネットワーク経由で送信されてくる画像データなどが挙げられる。プリント条件は、画像処理装置１の機能によって設定される。なお、プリント用画像データを作成する機能を写真処理装置２側に設ける場合、写真処理装置２側に、画像データおよびプリント条件データを送信し、これらデータからプリント用画像データを作成する。
【００２５】
＜画像処理装置の機能構成＞
本発明の画像処理装置１は、パソコン等の情報処理装置で構成され、写真プリント注文に係る画像データや注文データ等の情報を含むオーダ情報を保存するオーダ情報保存部１１と、このオーダ情報を管理制御するオーダ管理部（装置制御部１８の一機能である）とを備えている。
【００２６】
プリント条件設定部１２（プリント条件設定手段に相当する）は、オーダ情報の画像データに対し、プレジャッジ処理を行ない、所定数のコマ画像をモニター１９（表示手段に相当する）に表示し、コマ画像ごとにプリント条件を設定する機能である。例えば、オーダ情報保存部１１に保存された、任意のオーダ情報を選択し、所定数のコマ画像をモニター１９に表示し、表示されたコマ画像に対し、プリント枚数、プリントサイズ、画像の補正データ等のプリント条件を設定する。
【００２７】
本発明において、プレジャッジ処理は、画像データに基づいて写真プリントを作成する前に、適切な画質の写真プリントが作成されるか否かを判定するものであり、画像データに対する判定をオペレータが行なうための機能を提供し、かかる機能は主としてソフトウェアにより提供される。なお、プレジャッジ処理は必ず行なわなければならないものではなく、プレジャッジ処理を省略してプリント処理を行うことも可能である。
【００２８】
プリント条件設定部１２は、例えば、色や濃度を補正するための補正データを入力する機能を提供するものであり、かかる補正データの入力は必要に応じて設定される。その他の補正データの設定としては、赤目補正、逆光補正などの特殊補正の設定が例としてあげられる。
【００２９】
また、プリント枚数の設定としては、スキャナーから取得した画像データに関してはデフォルトで１が設定されているが、オペレータの入力操作により変更することができる。
【００３０】
プリント用画像データ作成手段１５は、プリント条件設定部１２で設定されたプリント条件の補正データ、プリントサイズ等に基づいて、それに対応する画像データを画像処理し、プリント用画像データを作成する。プリント用画像データ作成手段１５は、コンピュータプログラムと、ＣＰＵ、メモリ等ハードウエア資源との協働作用によって実現する構成や、また、専用回路で構成された画像処理基板での構成が例示される。画像処理基板としては、例えば、入力メモリ、画像処理回路部、展開メモリにより構成され、画像処理回路部において所定の画像処理が行なわれる。具体的には、プレジャッジ処理等の補正データに基づく色・濃度の補正、設定されたプリントサイズに従ったデータの拡縮処理などである。ここで作成されたプリント用画像データは、写真処理装置２側に送受信部によって送信される。
【００３１】
また、画像処理装置１は、各種設定、操作指示入力等のための入力操作のため入力手段と、各種設定操作指示表示等のためにモニター１９（表示手段）とを備えている。入力手段は、キーボードやマウス等により構成される。
【００３２】
オーダ管理部（装置制御部１８の一機能）は、写真プリント処理に関する画像データを含むオーダ情報をオーダ単位に管理する機能を有し、その主な機能としては、オーダの処理順番を設定する。処理順番は、優先レベル、引渡し納期、受付日時、注文方法等によって定まり、オーダ管理部は、オーダ情報に優先レベルや引渡し納期の情報を含ませるように機能する。優先レベルや引渡し納期の情報は、オペレータ、注文者等の指示入力によって設定することもでき、オーダ管理部が、注文受付日時や引渡し納期に応じて優先レベルの設定を行なうように構成できる。また、オーダ管理部は、例えば、写真処理装置２側等から中断理由を受信した場合に、中断理由が発生した旨の警告をモニター１９に表示し、中断処理が実行された場合には、現在の処理中のプリント条件の設定を中断する処理を実行し、その割り込まれた中断オーダのオーダ情報を割り込み中として管理し、未処理のコマＮｏの情報も同時に管理することができる。また、オーダ管理部は、例えば、オペレータによる中断キーの入力指示等によって中断処理が実行された場合にも同様に機能する。
【００３３】
（第１処理モード）
第１処理モードは、プリント用画像データ作成手段１５で作成されたプリント用画像データを、写真処理装置２に送信し写真プリント処理を実行する処理モードである。第２処理モードは、プリント用画像データ作成手段１５で作成されたプリント用画像データを、記憶手段１１１に保存する処理モードでる。第３処理モードは、記憶手段１１１に保存されているプリント用画像データを写真処理装置２に送信し写真プリント処理を実行する処理モードである。これら第１処理モード、第２処理モードまたは第３処理モードは、モード選択手段１７によって選択できる構成である。モード選択手段１７は、第１から第３処理モードを意味する専用のキー入力操作や操作画面から第１から第３処理モードを意味するボタン表示を選択指示することで実現できる。なお、通常の初期設定として、第１処理モードと第２処理モードのいずれかが設定されていてもよい。
【００３４】
以下では、第１処理モードについて説明する。任意のオーダがオーダ管理画面から選択されている。このオーダの画像データ群は、モニター１９に表示される際に、所定数（ここでは６個）のコマ画像ごとに表示される（図３参照）。コマ画像ごとにプリント条件３０２が設定される。６枚のコマ画像についてプリント条件３０２が設定され、オペレータが写真プリント処理を実行してよいと判断したら、確定３０１を指示する。これにより、６枚のコマ画像についてのプリント条件が確定する。そして、プリント用画像データ作成手段１５によって、確定されたプリント条件に基づいて画像データが画像処理され、６コマ分のプリント用画像データが作成される。次いで、送受信部によって、プリント用画像データが写真処理装置２に送信される。写真処理装置２のデータ送受信部によって６コマ分のプリント用画像データが受信され、データ保存部２３に保存される。データ保存部２３から、プリント用画像データが読み出され露光部３０による露光処理が開始され、順次写真プリント処理の各処理が実行される。
【００３５】
この第１処理モードの処理中において、中断理由が発生した場合について以下に説明する。モニター１９に中断理由が表示される。これに対しオペレータは、専用の中断キー（不図示）あるいはプリント条件設定画面の中断ボタン３０３を指示する。なお、モニター１９に中断理由が発生せずとも、オペレータが任意の時間に中断処理を同様の操作で実行できる。
【００３６】
プリント条件保存制御部１３（プリント条件保存制御手段に相当する）は、上記の中断処理の実行指示に従い、プリント条件設定部１２によるプリント条件設定処理を中断する。先ず、プリント条件設定処理の中断処理を実行し、プリント条件設定画面を終了し、オーダ管理画面あるいは中断処理操作画面を表示する。そして、中断時にモニター１９に表示されていた、当該中断処理に係る所定数（６枚）のコマの画像データと、当該画像データに対するプリント条件データとを紐付けして、記憶手段１１１に保存する。第１処理モードでは、中断前の６コマの画像データ（例えば、コマＮｏ１〜１２）は、プリント条件が設定され確定しており、写真プリント処理がなされている。記憶手段１１１には、中断時の画像データ（例えば、コマＮｏ１３〜１８）と設定されたプリント条件がともに保存され、中断時に表示されていないそれ以降のコマ番号の画像データ（例えば、コマＮｏ１９〜３６）については、オーダ情報保存部１１にそのまま保存され、識別できるように紐付けされるように構成でき、または、それら未処理の画像データを記憶手段１１１に同様に保存するように構成することもできる。なお、オーダ情報保存部１１と記憶手段１１１は別体ではなく同じ記憶媒体（例えばハードディスク）として構成できる。
【００３７】
そして、中断されたプリント条件設定処理を再開する場合に、プリント条件設定再開部１４（プリント条件設定再開手段に相当する）は、プリント条件保存制御部１３によって記憶手段１１１に保存された、中断処理に係る所定数（６枚）のコマの画像データ（例えば、コマＮｏ１３〜１８）とそれに対するプリント条件データとを読み出し、モニター１９に表示する。これにより、中断処理に係る所定数（６枚）のコマの画像データに対するプリント条件の設定を再開することができる。中断処理時にすでに設定されたプリント条件も読み出され表示されあるいはコマ画像の表示に反映されている。そして、未設定の他のコマ画像についてプリント条件を設定し、確定して写真プリント処理を実行し、引き続き、コマＮｏ１９以降の画像データに対するプリント条件の設定を行なえる。なお、再開処理の実行は、中断理由がなくなった場合に、自動的に中断されたオーダが再開されてもよく、オペレータによるキー入力や操作画面からの指示等で再開できる。
【００３８】
（第２処理モード）
以下では、第２処理モードについて説明する。任意のオーダがオーダ管理画面から選択されている。このオーダの画像データ群は、モニター１９に表示される際に、所定数（ここでは６個）のコマ画像ごとに表示される（図３参照）。コマ画像ごとにプリント条件３０２が設定される。６枚のコマ画像についてプリント条件３０２が設定され、プリント処理条件を確定してよいと判断したら、確定３０１を指示する。これにより、６枚のコマ画像についてのプリント条件が確定する。そして、プリント用画像データ作成手段１５によって、確定されたプリント条件に基づいて画像データが画像処理され、６コマ分のプリント用画像データが作成される。
【００３９】
作成された６コマ分のプリント用画像データは、プリント用画像データ保存制御部１６によって、記憶手段１１１に順次保存される。オーダの全画像データについてプリント条件が設定・確定され、プリント用画像データが作成され、オーダ単位に紐付けされて記憶手段１１１に保存される。
【００４０】
この第２処理モードの処理中において、中断理由が発生した場合について以下に説明する。モニター１９に中断理由が表示される。これに対しオペレータは、専用の中断キー（不図示）あるいはプリント条件設定画面の中断ボタン３０３を指示する。なお、モニター１９に中断理由が発生せずとも、オペレータが任意の時間に中断処理を同様の操作で実行できる。
【００４１】
プリント条件保存制御部１３は、上記の中断処理の実行指示に従い、プリント条件設定部１２によるプリント条件設定処理を中断する。先ず、プリント条件設定処理の中断処理を実行し、プリント条件設定画面を終了し、オーダ管理画面あるいは中断処理操作画面を表示する。そして、中断時にモニター１９に表示されていた、当該中断処理に係る所定数（６枚）のコマの画像データと、当該画像データに対するプリント条件データとを紐付けして、記憶手段１１１に保存する。第２処理モードでは、中断前の６コマの画像データ（例えば、コマＮｏ１〜１２）は、プリント条件が設定され、確定しており、プリント用画像データが作成され記憶手段１１１に蓄積されている。そして、中断時の画像データ（例えば、コマＮｏ１３〜１８）と設定されたプリント条件がともに、同一オーダのプリント用画像データに紐付けされ保存される。中断時に表示されていないそれ以降のコマ番号の画像データ（例えば、コマＮｏ１９〜３６）については、オーダ情報保存部１１にそのまま保存され、識別できるように紐付けされるように構成でき、または、それら未処理の画像データを記憶手段１１１に同様に保存するように構成することもできる。
【００４２】
そして、中断されたプリント条件設定処理を再開する場合に、プリント条件設定再開部１４は、プリント条件保存制御部１３によって記憶手段１１１に保存された、中断処理に係る所定数（６枚）のコマの画像データ（例えば、コマＮｏ１３〜１８）とそれに対するプリント条件データとを読み出し、モニター１９に表示する。これにより、中断処理に係る所定数（６枚）のコマの画像データに対するプリント条件の設定を再開することができる。中断処理時にすでに設定されたプリント条件も読み出され表示されあるいはコマ画像の表示に反映されている。そして、未設定の他のコマ画像についてプリント条件を設定し、確定してプリント用画像データを作成することができ、引き続き、コマＮｏ１９以降の画像データに対するプリント条件の設定を行なえる。
【００４３】
この第２処理モードでは、大量のコマ枚数のオーダの全ての画像データについて、昼間の空いた時間に少しずつプリント条件の設定を行い、プリン用画像データを作成しておき、例えば、中断理由の発生することが少ない夜間において集中的に写真プリント処理を実行させる（第３処理モードの機能）のに有効に機能する処理モードである。
【００４４】
（第３処理モード）
第３処理モードは、第２処理モードで作成され記憶手段１１１に保存されているプリント用画像データや、第２処理モードに限らず、記憶手段１１１に保存されているプリント用画像データについての写真プリント処理を実行する処理モードである。この第３処理モードが選択された場合に、オーダ管理画面から任意のオーダを選択し、記憶手段１１１に保存されている当該選択されたオーダに対応するプリント用画像データを読み出す。そして、送受信部によって、この読み出されたプリント用画像データが写真処理装置２に送信される。写真処理装置２のデータ送受信部によってプリント用画像データが受信され、データ保存部２３に保存される。データ保存部２３から、プリント用画像データが読み出され露光部３０による露光処理が開始され、順次写真プリント処理の各処理が実行される。
【００４５】
装置制御部１８は、上記オーダ情報管理部の機能の他に、画像処理装置１の全体動作を制御する機能を備え、例えば、各種指示入力に対する動作、操作表示画面の動作、データ通信等の動作を制御する。
【００４６】
本発明の各機能構成（装置制御部１８、プリント条件設定部１２、プリント条件保存制御部１３、プリント条件設定再開部１４、プリント用画像データ保存制御部１６等）は、専用回路、ファームウエアで構成でき、また、ＣＰＵ、メモリ等のハードウエア資源と動作手順を規定するソフトウエアプログラムとの協働作用で構成することもでき、またそれらの組み合せで構成することもできる。
【００４７】
＜写真処理装置の機能構成＞
次に、写真処理装置２の機能構成について説明する。写真処理装置２は、画像処理装置１からプリント用画像データ（あるいはそれを含むオーダ情報）を受信するデータ送受信部と、受信されたデータを保存するデータ保存部２３と、当該プリント用画像データに基づいて、マガジンから繰り出され所定のプリントサイズに切断された印画紙Ｐに露光処理するための露光部３０と、露光処理された印画紙Ｐを現像処理するための現像部３１と、現像処理された印画紙Ｐを乾燥処理するための乾燥部３２と、乾燥処理された印画紙Ｐを仕分け処理しながら排出する仕分け排出部（不図示）と、を有して構成されている。
【００４８】
また、写真処理装置２の全体的な動作を制御するための制御部２０を備えている。制御部２０は、専用回路、ファームウエアで構成でき、また、ＣＰＵ、メモリ等のハードウエア資源と動作手順を規定するソフトウエアプログラムとの協働作用で構成することもでき、またそれらの組み合せで構成することもできる。なお、画像処理装置１から、画像データとプリント条件の補正データを受信する構成の場合、写真処理装置２側にプリント作成用画像データを作成するための画像処理基板、画像処理部が備えられている構成でもよい。
【００４９】
マガジンには、写真感光材料である印画紙Ｐがロール状に収容されている。マガジンは、２台を設置することができ（図１では１台のみ示している）、例えば、幅の異なる印画紙を予めセットしておくことができる。マガジンから引き出された長尺状の印画紙Ｐは、設定されたプリントサイズになるようにカッター等の切断手段で切断される。
【００５０】
露光部３０は、露光エンジンを有し、プリント作成用画像データに基づいて、印画紙Ｐの乳剤面に画像を焼付露光する。露光エンジンとしては、特定の方式のものに限定されるものではなく、例えば、レーザーエンジン、ＣＲＴエンジン、ＰＬＺＴエンジンなどを用いることができる。
【００５１】
現像部３１は、画像が焼付露光された印画紙Ｐの現像処理を行い、乾燥部３２は、現像処理された印画紙Ｐの乾燥処理を行なう。仕分け排出部において、仕上がりの写真プリントが装置本体外部に排出され、所定の集積装置によりオーダ単位で集積可能に構成されている。
【００５２】
印画紙センサー（不図示）は、仕分け排出部から排出される印画紙Ｐを検出し、あるオーダの写真プリントが全て排出されたか否かを検出する。センサー制御部（不図示）は、印画紙センサーの駆動制御を行なうと共に、印画紙センサーからの信号を受信して解析する。制御部２０は、あるオーダについての写真プリントが全て排出されたとセンサー制御部により検出された場合、当該オーダのデータ保存部２３に保存されているプリント用画像データ（あるいはそれを含むオーダ情報）を削除する。また、制御部２０は、画像処理装置１にその通知を行い、そのオーダについてのオーダ情報を処理済みの管理状態に設定し、さらに、オーダ情報保存部１１から削除するように構成することができる。
【００５３】
裏印字手段（不図示）は、印画紙Ｐの裏面に、オーダ識別ＩＤ、コマナンバー、プリント処理済枚数、プリント要求枚数、補正テータ等をプリントする機能を有する。裏印字手段は、例えば、ドットインパクトプリンタ、熱転写式プリンタ、インクジェットプリンタ等で実現される。
【００５４】
写真処理装置２は、各種設定、操作指示入力等のための入力手段と、各種設定操作指示表示等のために表示部とを備えている。入力手段は、キーボードやマウス等により構成される。表示部としては、安価なＬＣＤモジュールを用いることができる。
【００５５】
＜本発明の処理の手順＞
以下に、図面を用いて、本発明の具体的動作について説明する。図２は、本実施形態の動作の処理手順を示すフローチャートである。
【００５６】
先ず、操作画面から処理モードを選択する（Ｓ１）。ここでの処理モードは上記で説明した、第１処理モード、第２処理モード、第３処理モード、その他の処理モードである。その他の処理モードとしては、フィルムスキャナーを実行すると同時に写真プリント処理を実行させるモードや、プリント条件を設定せずに、注文データの画像データをそのまま写真プリント処理するモード等が例示される。
【００５７】
第１処理モードが選択された場合（Ｓ２）、オーダ管理画面から写真プリント処理を実行させたいオーダを選択する。通常は、顧客への引渡し優先度に従ったオーダが選択される。オーダが選択されると、図３に示すようなプリント条件設定画面が表示され、オーダ内の画像データが、コマＮｏの順序に従い、６コマずつ表示される。オペレータは、ここでコマ画像ごとにプリント条件３０２を設定する。６コマ全部について設定が終了したら、確定３０１ボタンを指示し、表示されている６コマ画像のプリント条件を確定し、プリント用画像データが作成される。作成されたプリント用画像データは写真処理装置２に送信され、写真プリント処理が実行される。
【００５８】
このようなプリント条件設定中に中断理由が発生した場合（Ｓ３）、オペレータの指示により中断処理が実行される。中断処理が実行された場合、モニター１９に表示中の６コマ画像データと設定途中で確定前のプリント条件がともに記憶手段１１１に保存される（Ｓ４）。中断理由が解消し、先ほど中断した処理を再開する場合（Ｓ５）、オペレータの指示により再開処理が実行される。モニター１９は、プリント条件設定画面に切り換わり、記憶手段１１１から、中断された６コマ画像とプリント条件が読み出され表示される（Ｓ６）。プリント条件に補正データが含まれていれば、この補正データに基づく画像処理が施された画像が表示される。また、プリントサイズ、プリント枚数、補正データの設置値等がコマ画像の下部の欄（プリント条件３０２の欄）に表示される。オペレータは、引き続き未設定のコマに対してプリント条件を設定できる（Ｓ２）。
【００５９】
第２処理モードが選択された場合（Ｓ２１）、オーダ管理画面から写真プリント処理を実行させたいオーダを選択する。通常は、顧客への引渡し優先度に従ったオーダが選択される。オーダが選択されると、図３に示すようなプリント条件設定画面が表示され、オーダ内の画像データが、コマＮｏの順序に従い、６コマずつ表示される。オペレータは、ここでコマ画像ごとにプリント条件３０２を設定する。６コマ全部について設定が終了したら、確定３０１ボタンを指示し、表示されている６コマ画像のプリント条件を確定し、プリント用画像データが作成される。作成されたプリント用画像データは記憶手段１１１に保存される。
【００６０】
このようなプリント条件設定中に中断理由が発生した場合（Ｓ２２）、オペレータの指示により中断処理が実行される。中断処理が実行された場合、モニター１９に表示中の６コマ画像データと設定途中で確定前のプリント条件がともに記憶手段１１１に保存される（Ｓ２３）。中断理由が解消し、先ほど中断した処理を再開する場合（Ｓ２４）、オペレータの指示により再開処理が実行される。モニター１９は、プリント条件設定画面に切り換わり、記憶手段１１１から、中断された６コマ画像とプリント条件が読み出され表示される（Ｓ２５）。プリント条件に補正データが含まれていれば、この補正データに基づく画像処理が施された画像が表示される。また、プリントサイズ、プリント枚数、補正データの設定値等がコマ画像の下部の欄（プリント条件３０２の欄）に表示される。オペレータは、引き続き未設定のコマに対してプリント条件を設定できる（Ｓ２１）。
【００６１】
第２処理モードにおいては、写真プリント処理を実行させる場合、第３処理モードを選択し、プリントさせたいオーダを選択することで実現できる。選択されたオーダのプリント用画像データは写真処理装置２に送信され、写真プリント処理される。
【００６２】
以上の実施形態では、表示手段に表示されている所定数のコマの画像データについて、中断時に、設定途中のプリント条件データとともに保存する形態であった。以下では、中断時に表示されているコマ以外に、既に表示手段に表示されプリント条件が設定された、前のページのコマの画像データおよびそのプリント条件も関連づけて保存する構成について説明する。
【００６３】
第１処理モード、第２処理モードともに同様の構成である。第１、第２処理モードの処理中において、中断理由が発生した場合について以下に説明する。モニター１９に中断理由が表示される。これに対しオペレータは、専用の中断キー（不図示）あるいはプリント条件設定画面の中断ボタン３０３を指示する。なお、モニター１９に中断理由が発生せずとも、オペレータが任意の時間に中断処理を同様の操作で実行できる。
【００６４】
プリント条件保存制御部１３は、上記の中断処理の実行指示に従い、プリント条件設定部１２によるプリント条件設定処理を中断する。先ず、プリント条件設定処理の中断処理を実行し、プリント条件設定画面を終了し、オーダ管理画面あるいは中断処理操作画面を表示する。そして、中断時にモニター１９に表示されていた、当該中断処理に係る所定数（６枚）のコマの画像データ（コマＮｏ１３〜１８）と、当該画像データに対するプリント条件データとを紐付けして、記憶手段１１１に保存する。さらに、中断時にすでにプリント条件が設定され確定された前のページの６コマの画像データ（例えば、コマＮｏ７〜１２）とそのプリント条件のデータも、紐付けされて記憶手段１１１に保存する。
【００６５】
そして、中断されたプリント条件設定処理を再開する場合に、プリント条件設定再開部１４は、プリント条件保存制御部１３によって記憶手段１１１に保存された、中断処理に係る所定数（６枚）のコマの画像データ（例えば、コマＮｏ１３〜１８）とそれに対するプリント条件データとを読み出し、モニター１９に表示する。また、プリント条件設定再開部１４は、オペレータの前ページ表示指示により、プリント条件保存制御部１３によって記憶手段１１１に保存された、中断処理に係る所定数（６枚）のコマの画像データより以前に設定されたコマの画像データ（例えば、コマＮｏ７〜１２）とそれに対するプリント条件データとを読み出し、モニター１９に表示する。これにより、中断処理に係る所定数（６枚）のコマの画像データに対するプリント条件の設定を再開することができる。特に、前のページの画像データおよびそのプリント条件の設定についても表示することができるため、オーダの統一感を出すのに好ましい。
【００６６】
（別実施形態）
以上の説明において、写真プリントシステムを構成する写真処理装置２は、露光部３０と現像部３１とを有する装置構成であったが、これに制限されず、レーザープリンター、熱転写式プリンタ、インクジェットプリンタ等の他の装置構成でもよい。
【図面の簡単な説明】
【００６７】
【図１】写真プリントシステムの機能構成を説明するための図
【図２】実施形態の処理手順を示すフローチャート
【図３】実施形態のプリント条件設定画面について説明するための図
【符号の説明】
【００６８】
１        画像処理装置
１１      オーダ情報保存部
１２      プリント条件設定部
１３      プリント条件保存制御部
１４      プリント条件設定再開部
１５      プリント画像データ作成手段
１６      プリント画像データ保存制御部
１７      モード選択手段
１８      装置制御部
１９      モニター
２        写真処理装置
２０      制御部
２３      データ保存部
【図１】
2009198561.tif 000003
【図２】
2009198561.tif 000004
【図３】
2009198561.tif 000005